(57)【要約】【課題】シャツの襟は、外形上目立つ手前、綺麗なラインを保つことが要請されてきた。そこで、襟元の皺や弛みを防止する為に、折角アイロンかけをしても寝たり、皺になったりしても、その襟元を整然とした形に保持することは難しかった。これは、外形上好ましいものではない。【解決手段】シャツの襟が整然としたラインを形成する為に、襟元の端部両側に沿って、いせ込み縫い部を設けたシャツであって、更に詳しくは、シャツの襟元の端部側に  シャツ（１）の、両側の上前立（３０１）、下前立（３０２）のボタン側に設けられる端部の上前身（１１２）、下前身（１１３）に接して、いせ込み縫い部（２０１）が設けられ、襟が整然としたラインを形成したものである。又、前記いせ込み縫い部（２０１）に沿って、並行にいせ込み縫い部（２０１）を設けたシャツであって、更に襟のラインを強化するものである。【選択図】図１
2011179154.tif 000002
【特許請求の範囲】
【請求項１】
シャツの襟が整然としたラインを形成する為に、襟元の端部両側に沿って、いせ込み縫い部を設けたことを特徴とするシャツ
【請求項２】
シャツの襟元の端部側に  シャツ（１）の、両側の上前立（３０１）、下前立（３０２）のボタン側に設けられる端部の上前身（１１２）、下前身（１１３）に接して、いせ込み縫い部（２０１）が設けられ、襟が整然としたラインを形成することを特徴とするシャツ
【請求項３】
前記いせ込み縫い部（２０１）に沿って、並行にいせ込み縫い部（２０１）を設けたことを特徴とする請求項１又は２記載のシャツ
【請求項４】
前記いせ込み縫い部（２０１）は、襟の内側に設けられていることを特徴とする請求項１、２又は３記載のシャツ
【発明の詳細な説明】
【技術分野】
【０００１】
本発明は、シャツの襟のラインの保持に関するものである。
【背景技術】
【０００２】
従来のシャツの襟は、皺にならないように取り付ける技術がある。
【０００３】
シャツの襟は、外形上目立つ手前、綺麗なラインを保つことが要請されてきた。
そこで、襟元の皺や弛みを防止する為に、折角アイロンかけをしても寝たり、皺になったりしても、その襟元を整然とした形に保持することは難しかった。これは、外形上好ましいものではない。
【０００４】
しかし、この為に、シャツの襟付けは、皺にならないように、一例として、伸ばしながら縫製されていたが、手間がかかり、正確に縫製するには熟練を要するというという問題点があった。この為に熟練技術者の養成や縫製にも時間が掛かることが必要とされた。図３の（２）に示されるように、布に対して、直角方向に引っ張ると延びることは少ないが、図３の（３）のう引っ張ると大きく延びてしまうので、縫製の難しさが理解されるであろう。
特に、注意して縫製したとしても、人体が動きに対して、特に過激は動きがあれば、矢張り襟元が崩れることが理解されるであろう。
したがって、襟元の崩れ防止のために様々なものが提案されてきたが、一長一短があり問題が残されてきた。
【先行技術文献】
【特許文献】
【０００５】
【特許文献１】特開２００６−１７８７２７号公報
【特許文献２】特開２００５−２３６１０１号公報
【特許文献３】登録実用新案第３００２９３６号
【特許文献４】登録実用新案第３０１３１８８号
【特許文献５】実公開平７−２４０４号公報
【特許文献３】実公開平６−６５４０４号公報
【発明の概要】
【発明が解決しようとする課題】
【０００６】
解決しようとする問題点は、シャツの襟元を立たせることで、整然としたラインを保持することで、常時皺や弛みから防止する為の構成を得ることにある。
【課題を解決するための手段】
【０００７】
本発明は、シャツの襟が整然としたラインを形成する為に、襟元の端部両側に沿って、いせ込み縫い部を設けたシャツであって、更に詳しくは、シャツの襟元の端部側に  シャツ（１）の、両側の上前立（３０１）、下前立（３０２）のボタン側に設けられる端部の上前身（１１２）、下前身（１１３）に接して、いせ込み縫い部（２０１）が設けられ、襟が整然としたラインを形成したものである。
【０００８】
前記いせ込み縫い部（２０１）に沿って、並行にいせ込み縫い部（２０１）を下方に設けたシャツであって、更に襟のラインを強化するものである。
【０００９】
前記いせ込み縫い部（２０１）は、襟の内側に設けられていることで、いせ込み縫い部分を隠すことができ、外見上更に好ましくすることができる。
【発明の効果】
【００１０】
本発明のシャツは、簡単な構成により、シャツの襟の立った整然とした綺麗なラインで常時保持することができる利点がある。
更には、簡単な縫い込みにより、容易に且つ低コストで形成することができ、大量生産を可能としたものとなる。
【図面の簡単な説明】
【００１１】
【図１】図１は、本発明の実施方法を示した説明図である。
【図２】図２は、図１のシャツの背面を示した説明図である。
【図３】図３は、上記のシャツの更に襟元の部分を拡大した図である。
【発明を実施するための形態】
【００１２】
シャツの襟元をいせ込み縫いをする事で、常時襟元の立ったラインを形成することが実現した。
【実施例】
【００１３】
図１は、本発明の１実施例の正面図であって、シャツ（１）は、シャツ本体（１０１）に対して、縁（２００）に沿って、襟（１０）を備えている。
シャツ（１）は、襟（１０）がその首回りを囲んでいるが、その襟（１０）が、シャツ本体（１０１）取り付けられるボタンの嵌る上前身（１０２）であって、図１の（１）、（２）に示されるように、襟（１０）が、シャツ本体（１０１）に取り付けられる襟（１０）元の袖付け部（１１）の縁（２００）に接して、約５〜６cm程度の幅でいせ込み縫い（２）を実施する。
【００１４】
図１の（２）に詳細に示されるように、シャツ（１）の襟（１０）の端部において、両側の上前立（３０１）、下前立（３０２）のボタン側及び該穴部が設けられる該端部の上前身（１１２）、下前身（１１３）に接して、いせ込み縫い部（２０１）が設けられる。その部分は、図１の（２）に示されるような断面を形成しているのが理解されるであろう。
襟（１０）の崩れは、図３に示されるように、上前立（３０１）、下前立（３０２）より始まるので、それらの端部に、崩れ防止の為の、いせ込み縫い（２）（２）を両端に設けるのである。
【００１５】
いせ込み縫い部分（２０１）は、横方向に沿って、数センチの範囲で実施されるので、図１の（３）に示されるように、シャツ（１）の縦方向にギャザ（２０２）が形成されて並行して設けられることになる。
このギャザ（２０２）が、図では、誇張されているが実際は目立たない。
更に好ましくは、ギャザ（２０２）の位置が、襟（１０）によって隠れる位置に設けることができるので、外見上では、より好ましいのが理解される。
【００１６】
シャツ（１）の襟（１０）元の袖付け部（１１）の縁（２００）に対して、そのいせ込み縫い部分（２０１）は、この実施例では、更に、縁（２００）に沿って、図１の（２）に示されるように、上方のいせ込み縫い部分（２０１）に対して、下方にも、いせ込み縫い部分（２０１）を平行に設けることもできる。
ギャザ（２０２）の下方向に設けられる場合、その位置が、襟（１０）によって隠れる位置に設ければ、外見上更に好ましい。
この場合には、いせ込み縫い部分が強化されて一層整然としたラインを保持できる利点がある。
【００１７】
いせ込み縫い（２）は、両側の上前立（３０１）、下前立（３０２）に接した、上前身（１１２）、下前身（１１３）のボタンの結合部である、図１の（２）に示されるように、端部に設けられるが、仕込み量は約６〜７mm程度になるが、その他の量を採用できることは必要に応じて実施できるのは当然である。
図２に示されるように、シャツ（１）を開いた全体図であり、いせ込み縫い（２）が、シャツ（1）対して、どのように設けられるのか、図示の通り、一目瞭然である。
【００１８】
その縦方向の長さは、約５〜６cm程度が採用することができる。しかし、いせ込み縫い部分（２）を、縁（２００）の沿って長く設ければ、変形に対する抵抗力は増加されるのが理解される。即ち、いせ込み縫い（２）の絞りにより、図１の（３）に示されるように皺のピッチを拡大又は縮小される。
より拡大すれば、襟（１０）の引っ張り力は減少し、より縮小すれば、引っ張り力は強くなり、変形はより防止されるのが理解されるであろう。
【００１９】
このように、襟元の縁（２０１）に接して、いせ込み縫いをすることで、襟元が崩れず
綺麗なラインを常時形成することができる。即ち、襟元は、生地が斜めのバイアス方
向に伸びているので、伸び易いことは前述したが、このようないせ込み縫いをすること
で、例え、斜め方向の力が、着衣状態の運動で働いたとしても、いせ込み縫い部分
（３）が抵抗となって、変形を許さず、原形に戻ろうとする力が働くので、襟元は一定の
形状に保たれるのである。
【符号の説明】
【００２０】
１        シャツ
１０      襟
１０１    シャツ本体
２        前側部分
２０１    縁
３        いせ込み縫い部分
【図１】
2011179154.tif 000003
【図２】
2011179154.tif 000004
【図３】
2011179154.tif 000005